(57)【要約】【課題】  各レンズを適切に配置することによってズーム域全域にわたり諸収差を良好に補正しすることで画面全域で良好な画質を得る事が可能であり、小型化を図った大口径ズーム光学系を提供する。【解決手段】  物体側から像面側に順に、負の屈折力を持つ第１レンズ群と、正の屈折力を持つ第２レンズ群と、負の屈折力を持つ第３レンズ群と、正の屈折力を持つ第４レンズ群とからなり、第１レンズ群は、物体側から像面側に順に、負の屈折力を持つ第１レンズ群前群と負の屈折力を持つ第１レンズ群後群とからなり、第２レンズ群は、物体側から像面側に順に、少なくとも２枚の正の屈折力を持つレンズと、負の屈折力を持つレンズと正の屈折力を持つレンズとからなる接合レンズとを有し、所定の動作でズーミングとフォーカシングを行うことを特徴とする光学系。【選択図】図１
2014089365.tif 000002
【特許請求の範囲】
【請求項１】
物体側から像面側に順に、負の屈折力を持つ第１レンズ群と、正の屈折力を持つ第２レンズ群と、負の屈折力を持つ第３レンズ群と、正の屈折力を持つ第４レンズ群とからなり、
前記第１レンズ群は、物体側から像面側に順に、負の屈折力を持つ第１レンズ群前群と負の屈折力を持つ第１レンズ群後群とからなり、
前記第２レンズ群は、物体側から像面側に順に、少なくとも２枚の正の屈折力を持つレンズと、負の屈折力を持つレンズと正の屈折力を持つレンズとからなる接合レンズとを有し、
広角端から望遠端へのズーミングに際して、前記第１レンズ群と前記第２レンズ群との間隔が減少し、前記第２レンズ群と前記第３レンズ群との間隔が増大し、前記第３レンズ群と前記第４レンズ群との間隔が減少し、
無限遠物体から近距離物体へのフォーカシングに際して、前記第１レンズ群後群を物体側へ移動することを特徴とする光学系。
【請求項２】
前記第１レンズ群前群は、その最も物体側に、物体側に凸面を向けた負の屈折力を持つメニスカスレンズを有し、前記第１レンズ群後群は、その最も物体側に、物体側に凹面を向けた負の屈折力を持つレンズを有し、前記第２レンズ群は、その最も物体側に、物体側に凸面を向けた正の屈折力を持つレンズを有し、以下に示す条件式（１）乃至（５）を満足することを特徴とする請求項１に記載の光学系。
（１）２．４０＜｜ｆ１ａ｜／ｆｗ＜５．００
（２）４．００＜｜ｆ１ｂ｜／ｆｗ＜１３．００
（３）０．５５＜ｆ２／ｆｔ＜２．２０
（４）１．８０＜｜Ｒ１ｂＦ｜／ｆｗ＜９．００
（５）１．５０＜Ｒ２Ｆ／ｆｔ＜４．５０
ｆｗ：広角端・無限遠物体合焦時における全光学系の焦点距離
ｆｔ：望遠端・無限遠物体合焦時における全光学系の焦点距離
ｆ１ａ：前記第１レンズ群前群の焦点距離
ｆ１ｂ：前記第１レンズ群後群の焦点距離
ｆ２：前記第２レンズ群の焦点距離
Ｒ１ｂＦ：前記第１レンズ群後群の最も物体側の面の曲率半径
Ｒ２Ｆ：前記第２レンズ群の最も物体側の光学素子の、物体側の面の曲率半径
【請求項３】
前記第４レンズ群は、物体側から像面側に順に、像面側に凹面を向けた負の屈折力を持つ第４Ａレンズと物体側に凸面を向けた正の屈折力を持つ第４Ｂレンズとを有し、前記第４Ａレンズの像面側の面と前記第４Ｂレンズの物体側の面との間隔はレンズの中心部からレンズの外縁部に向けて小さくなり、以下に示す条件式（６）を満足することを特徴とする請求項１または２に記載の光学系。
（６）０．００＜ｆ４×（１／Ｒ４Ａ−１／Ｒ４Ｂ）＜０．６０
ｆ４：前記第４レンズ群の焦点距離
Ｒ４Ａ：前記第４Ａレンズの像面側の面の曲率半径
Ｒ４Ｂ：前記第４Ｂレンズの物体側の面の曲率半径
【請求項４】
以下に示す条件式（７）乃至（８）を満足することを特徴とする、請求項１乃至３に記載の光学系。
（７）０．５０＜｜ｆ３｜／ｆｔ＜２．５０
（８）０．６０＜ｆ４／ｆｔ＜１．８０
ｆ３：前記第３レンズ群の焦点距離
【発明の詳細な説明】
【技術分野】
【０００１】
本発明はスチルカメラ、ビデオカメラ等の撮像装置に好適な撮影レンズのうち、大口径ズームレンズに用いられる光学系に関し、特に広角端から望遠端にわたるズーム域全域で高い光学性能を実現した光学系に関する。
【背景技術】
【０００２】
光学系をミラーアップ機構を採用する一眼レフシステムの交換レンズに適用するためには、一定以上のバックフォーカスを確保しておかなくてはならない。こうした長いバックフォーカスを持つズーム光学系として、光学系の最も物体側に負の屈折力を持つ部分群を配置することで広い画角を得た、所謂ネガティブリード型のズーム光学系が提案されている（例えば特許文献１及び２）。
【先行技術文献】
【特許文献】
【０００３】
【特許文献１】特開２００８−４６２０８号公報
【特許文献２】特開２００５−１０７０３６号公報
【発明の概要】
【発明が解決しようとする課題】
【０００４】
このようなネガティブリード型のズーム光学系は、その構成における屈折力配置の非対称性がズーミングに伴って変化するため、ズーム全域にわたり歪曲収差、非点収差等の諸収差を抑制することが困難である。
【０００５】
更に、このようなネガティブリード型の光学系を大口径比とした場合、前述した諸収差に加えて球面収差やコマ収差が悪化する上に、物体側の部分群より像面側に配置されたレンズの外径が拡大し、カメラボディとの連結が困難な程大型化することとなる。
【０００６】
こうした問題を解決する為、例えば特許文献１では、主に第２レンズ群の構成を適切に配置することで、球面収差、コマ収差や軸上色収差の補正を実現している。しかしながら、特許文献１に開示されている光学系は、顕著な像面の湾曲が見られ、画面全域で高周波性能を良好に保つことが困難であり、開口絞りを絞り込んだ際の光学性能に悪影響がある。また、上記光学系は広角端での歪曲収差が目立つ。
【０００７】
また、特許文献２に開示されている光学系は、ズーム域全域にわたり球面収差や非点収差を抑えているものの、像面湾曲が著しく、望遠端での軸上色収差も大きい。
【０００８】
そこで本発明は、スチルカメラ、ビデオカメラ等の撮像装置に好適な撮影レンズのうち、大口径ズームレンズに用いられる光学系に関し、特に各レンズを適切に配置することによって広角端から望遠端にわたるズーム域全域にわたり球面収差、軸上色収差、像面湾曲、及びコマ収差等の諸収差を良好に補正しすることで画面全域で良好な画質を得る事が可能であり、一眼レフカメラ等の一般的なカメラボディに連結できる程度に小型化を図った大口径ズーム光学系を提供する。
【課題を解決するための手段】
【０００９】
上記課題を解決するための手段である第１の発明は、物体側から像面側に順に、負の屈折力を持つ第１レンズ群と、正の屈折力を持つ第２レンズ群と、負の屈折力を持つ第３レンズ群と、正の屈折力を持つ第４レンズ群とからなり、前記第１レンズ群は、物体側から像面側に順に、負の屈折力を持つ第１レンズ群前群と負の屈折力を持つ第１レンズ群後群とからなり、前記第２レンズ群は、物体側から像面側に順に、少なくとも２枚の正の屈折力を持つレンズと、負の屈折力を持つレンズと正の屈折力を持つレンズとからなる接合レンズとを有し、広角端から望遠端へのズーミングに際して、前記第１レンズ群と前記第２レンズ群との間隔が減少し、前記第２レンズ群と前記第３レンズ群との間隔が増大し、前記第３レンズ群と前記第４レンズ群との間隔が減少し、無限遠物体から近距離物体へのフォーカシングに際して、前記第１レンズ群後群を物体側へ移動することを特徴とする光学系である。
【００１０】
また第２の発明は、第１の発明であってさらに、前記第１レンズ群前群は、その最も物体側に、物体側に凸面を向けた負の屈折力を持つメニスカスレンズを有し、前記第１レンズ群後群は、その最も物体側に、物体側に凹面を向けた負の屈折力を持つレンズを有し、前記第２レンズ群は、その最も物体側に、物体側に凸面を向けた正の屈折力を持つレンズを有し、以下に示す条件式（１）乃至（５）を満足することを特徴とする光学系である。
（１）２．４０＜｜ｆ１ａ｜／ｆｗ＜５．００
（２）４．００＜｜ｆ１ｂ｜／ｆｗ＜１３．００
（３）０．５５＜ｆ２／ｆｔ＜２．２０
（４）１．８０＜｜Ｒ１ｂＦ｜／ｆｗ＜９．００
（５）１．５０＜Ｒ２Ｆ／ｆｔ＜４．５０
ｆｗ：広角端・無限遠物体合焦時における全光学系の焦点距離
ｆｔ：望遠端・無限遠物体合焦時における全光学系の焦点距離
ｆ１ａ：前記第１レンズ群前群の焦点距離
ｆ１ｂ：前記第１レンズ群後群の焦点距離
ｆ２：前記第２レンズ群の焦点距離
Ｒ１ｂＦ：前記第１レンズ群後群の最も物体側の面の曲率半径
Ｒ２Ｆ：前記第２レンズ群の最も物体側の光学素子の、物体側の面の曲率半径
【００１１】
また第３の発明は、第１または２の発明であってさらに、前記第４レンズ群は、物体側から像面側に順に、像面側に凹面を向けた負の屈折力を持つ第４Ａレンズと物体側に凸面を向けた正の屈折力を持つ第４Ｂレンズとを有し、前記第４Ａレンズの像面側の面と前記第４Ｂレンズの物体側の面との間隔はレンズの中心部からレンズの外縁部に向けて小さくなり、以下に示す条件式（６）を満足することを特徴とする光学系である。
（６）０．００＜ｆ４×（１／Ｒ４Ａ−１／Ｒ４Ｂ）＜０．６０
ｆ４：前記第４レンズ群の焦点距離
Ｒ４Ａ：前記第４Ａレンズの像面側の面の曲率半径
Ｒ４Ｂ：前記第４Ｂレンズの物体側の面の曲率半径
【００１２】
また第４の発明は、第１乃至３いずれかの発明であってさらに、以下に示す条件式（７）乃至（８）を満足することを特徴とする光学系である。
（７）０．５０＜｜ｆ３｜／ｆｔ＜２．５０
（８）０．６０＜ｆ４／ｆｔ＜１．８０
ｆ３：前記第３レンズ群の焦点距離
【発明の効果】
【００１３】
本発明によれば、スチルカメラ、ビデオカメラ等の撮像装置に好適な撮影レンズのうち、大口径ズームレンズに用いられる光学系に関し、特に各レンズを適切に配置することによって広角端から望遠端にわたるズーム域全域にわたり球面収差、軸上色収差、像面湾曲、及びコマ収差等の諸収差を良好に補正する ことで画面全域で良好な画質を得る事が可能であり、一眼レフカメラ等の一般的なカメラボディに連結できる程度に小型化を図った大口径ズーム光学系を提供することができる。
【図面の簡単な説明】
【００１４】
【図１】本発明の実施例１の広角端の無限遠物体合焦時でのレンズ構成図である。
【図２】本発明の実施例１の広角端の無限遠物体合焦時での縦収差図である。
【図３】本発明の実施例１の望遠端の無限遠物体合焦時での縦収差図である。
【図４】本発明の実施例１の広角端の無限遠物体合焦時での横収差図である。
【図５】本発明の実施例１の望遠端の無限遠物体合焦時での横収差図である。
【図６】本発明の実施例２の広角端の無限遠物体合焦時でのレンズ構成図である。
【図７】本発明の実施例２の広角端の無限遠物体合焦時での縦収差図である。
【図８】本発明の実施例２の望遠端の無限遠物体合焦時での縦収差図である。
【図９】本発明の実施例２の広角端の無限遠物体合焦時での横収差図である。
【図１０】本発明の実施例２の望遠端の無限遠物体合焦時での横収差図である。
【図１１】本発明の実施例３の広角端の無限遠物体合焦時でのレンズ構成図である。
【図１２】本発明の実施例３の広角端の無限遠物体合焦時での縦収差図である。
【図１３】本発明の実施例３の望遠端の無限遠物体合焦時での縦収差図である。
【図１４】本発明の実施例３の広角端の無限遠物体合焦時での横収差図である。
【図１５】本発明の実施例３の望遠端の無限遠物体合焦時での横収差図である。
【図１６】本発明の実施例４の広角端の無限遠物体合焦時でのレンズ構成図である。
【図１７】本発明の実施例４の広角端の無限遠物体合焦時での縦収差図である。
【図１８】本発明の実施例４の望遠端の無限遠物体合焦時での縦収差図である。
【図１９】本発明の実施例４の広角端の無限遠物体合焦時での横収差図である。
【図２０】本発明の実施例４の望遠端の無限遠物体合焦時での横収差図である。
【図２１】本発明の実施例５の広角端の無限遠物体合焦時でのレンズ構成図である。
【図２２】本発明の実施例５の広角端の無限遠物体合焦時での縦収差図である。
【図２３】本発明の実施例５の望遠端の無限遠物体合焦時での縦収差図である。
【図２４】本発明の実施例５の広角端の無限遠物体合焦時での横収差図である。
【図２５】本発明の実施例５の望遠端の無限遠物体合焦時での横収差図である。
【図２６】本発明の実施例６の広角端の無限遠物体合焦時でのレンズ構成図である。
【図２７】本発明の実施例６の広角端の無限遠物体合焦時での縦収差図である。
【図２８】本発明の実施例６の望遠端の無限遠物体合焦時での縦収差図である。
【図２９】本発明の実施例６の広角端の無限遠物体合焦時での横収差図である。
【図３０】本発明の実施例６の望遠端の無限遠物体合焦時での横収差図である。
【図３１】本発明の実施例７の広角端の無限遠物体合焦時でのレンズ構成図である。
【図３２】本発明の実施例７の広角端の無限遠物体合焦時での縦収差図である。
【図３３】本発明の実施例７の望遠端の無限遠物体合焦時での縦収差図である。
【図３４】本発明の実施例７の広角端の無限遠物体合焦時での横収差図である。
【図３５】本発明の実施例７の望遠端の無限遠物体合焦時での横収差図である。
【発明を実施するための形態】
【００１５】
本発明の光学系は、第１の発明として、図１、図６、図１１、図１６、図２１、図２６、及び図３１に示す本発明の実施例のレンズ構成図からわかるように、物体側から像面側に順に、負の屈折力を持つ第１レンズ群Ｇ１と、正の屈折力を持つ第２レンズ群Ｇ２と、負の屈折力を持つ第３レンズ群Ｇ３と、正の屈折力を持つ第４レンズ群Ｇ４とからなり、前記第１レンズ群Ｇ１は、物体側から像面側に順に、負の屈折力を持つ第１レンズ群前群Ｇ１Ａと負の屈折力を持つ第１レンズ群後群Ｇ１Ｂとからなり、前記第２レンズ群Ｇ２は、物体側から像面側に順に、少なくとも２枚の正の屈折力を持つレンズと、負の屈折力を持つレンズと正の屈折力を持つレンズとからなる接合レンズとを有し、広角端から望遠端へのズーミングに際して、前記第１レンズ群Ｇ１と前記第２レンズ群Ｇ２との間隔が減少し、前記第２レンズ群Ｇ２と前記第３レンズ群Ｇ３との間隔が増大し、前記第３レンズ群Ｇ３と前記第４レンズ群Ｇ４との間隔が減少し、無限遠物体から近距離物体へのフォーカシングに際して、前記第１レンズ群後群Ｇ１Ｂを物体側へ移動することを特徴とする。
【００１６】
まず第２レンズ群Ｇ２の屈折力配置について説明する。一般にネガティブリード型の光学系においては、第１レンズ群Ｇ１以降で軸上マージナル光線高が跳ね上がるため、球面収差等の諸収差が悪化し易く、レンズ径が大型化する傾向にあるため、望遠側において大口径比とすることが困難である。特に、後述するように第１レンズ群Ｇ１をいずれも負の屈折力を持つ第１レンズ群前群Ｇ１Ａと第１レンズ群後群Ｇ１Ｂに分割し、第１レンズ群後群Ｇ１Ｂをフォーカスレンズ群とする場合、第１レンズ群前群Ｇ１Ａおよび第１レンズ群後群Ｇ１Ｂがある程度の負の屈折力を確保する必要があるため、第１レンズ群Ｇ１全体の負の屈折力は大きくなり、球面収差等の悪化やレンズ径大型化の傾向はより顕著になる。
【００１７】
そこで第１の発明である光学系では、第２レンズ群Ｇ２を物体側から順に少なくとも２枚の正の屈折力を持つレンズと、負の屈折力を持つレンズと正の屈折力を持つレンズとからなる接合レンズとを有する構成とした。このような構成により、物体側に配置された正の屈折力を持つレンズが軸上マージナル光線を光軸に近付く方向に折り曲げることにより開口絞りの大型化を防ぎ、像面側に配置された負の屈折力を持つレンズと正の屈折力を持つレンズとの接合によって、球面収差及びコマ収差等の諸収差を補正することが可能となった。
【００１８】
また、第１の発明である光学系の第１レンズ群Ｇ１は、負の屈折力を持つ第１レンズ群前群Ｇ１Ａと負の屈折力を持つ第１レンズ群後群Ｇ１Ｂとからなり、無限遠物体から近距離物体へのフォーカシングに際して、前記第１レンズ群後群Ｇ１Ｂを物体側へ移動する。このようなフォーカシング機構を備えたことにより、ズーミングに際して第１レンズ群後群Ｇ１Ｂが第１レンズ群前群Ｇ１Ａに対して固定であるとき、光学系の最も物体側の面と物体側合焦面の間の距離が一定となる。特にズーミングに際して第１レンズ群Ｇ１が像面に対して固定又は物体面の被写界深度より小さい移動量を持つ場合、第１レンズ群後群Ｇ１Ｂが第１レンズ群前群Ｇ１Ａに対して固定であってもズーミングに伴う物体側焦点面の移動が無視できる。よって、ズーム機構とフォーカシング機構とを独立させ、回転カム筒等の機構の簡素化を図ることが可能となり、撮影レンズを小型化することができた。 
【００１９】
また第２の発明である光学系は、第１の発明であってさらに、前記第１レンズ群前群Ｇ１Ａは、その最も物体側に、物体側に凸面を向けた負の屈折力を持つメニスカスレンズを有し、前記第１レンズ群後群Ｇ１Ｂは、その最も物体側に、物体側に凹面を向けた負の屈折力を持つレンズを有し、前記第２レンズ群Ｇ２は、その最も物体側に、物体側に凸面を向けた正の屈折力を持つレンズを有し、以下に示す条件式（１）乃至（５）を満足することを特徴とする。
（１）２．４０＜｜ｆ１ａ｜／ｆｗ＜５．００
（２）４．００＜｜ｆ１ｂ｜／ｆｗ＜１３．００
（３）０．５５＜ｆ２／ｆｔ＜２．２０
（４）１．８０＜｜Ｒ１ｂＦ｜／ｆｗ＜９．００
（５）１．５０＜Ｒ２Ｆ／ｆｔ＜４．５０
ｆｗ：広角端・無限遠物体合焦時における全光学系の焦点距離
ｆｔ：望遠端・無限遠物体合焦時における全光学系の焦点距離
ｆ１ａ：前記第１レンズ群前群Ｇ１Ａの焦点距離
ｆ１ｂ：前記第１レンズ群後群Ｇ１Ｂの焦点距離
ｆ２：前記第２レンズ群Ｇ２の焦点距離
Ｒ１ｂＦ：前記第１レンズ群後群Ｇ１Ｂの最も物体側の面の曲率半径
Ｒ２Ｆ：前記第２レンズ群Ｇ２の最も物体側の面の曲率半径
【００２０】
第２の発明である光学系の第１レンズ群前群Ｇ１Ａは、その最も物体側に、物体側に凸面を向けた負の屈折力を持つメニスカスレンズを有する。このような構成を取る事により、特にズーミングの際の広角端付近において歪曲収差等の諸収差を大きく悪化させることなく周辺光束の入射角度を緩めることができ、画角の広角化や周辺光量の導入が可能になった。
【００２１】
条件式（１）は前記第１レンズ群前群Ｇ１Ａの屈折力を規定するものである。条件式（１）の上限値を超え、第１レンズ群前群Ｇ１Ａの負の焦点距離が大きくなると、広角端での広画角を実現しつつバックフォーカスを確保することが困難になる。また、最も物体側のレンズの径を抑制しつつ周辺光量を確保することが困難になる。また、条件式（１）の下限値を超え、第１レンズ群前群Ｇ１Ａの負の焦点距離が小さくなると、第２レンズ群Ｇ２以降のレンズ径が拡大する他、歪曲収差等の諸収差が悪化する。なお、条件式（１）について、その下限値をさらに２．６０に、また、上限値をさらに４．５０とすることで、前述の効果をより確実にすることができる。
【００２２】
条件式（２）は前記第１レンズ群後群Ｇ１Ｂの屈折力を規定するものである。条件式（１）の上限値を超え、第１レンズ群後群Ｇ１Ｂの負の焦点距離が大きくなると、無限遠から有限距離への合焦の際、第１レンズ群後群Ｇ１Ｂが物体側に移動する距離が増大し、レンズの大型化、周辺光量の低下等の問題が生じる。また、条件式（２）の下限値を超え、第１レンズ群後群Ｇ１Ｂの負の焦点距離が小さくなると、コマ収差、歪曲収差等の諸収差が悪化し、フォーカシングに伴う収差の変動も大きくなる。なお、条件式（２）について、その下限値をさらに４．３０に、また、上限値をさらに１２．２０とすることで、前述の効果をより確実にすることができる。
【００２３】
条件式（３）は前記第２レンズ群Ｇ２の屈折力を規定するものである。条件式（３）の上限値を超え、第２レンズ群Ｇ２の正の焦点距離が大きくなると、ズーミングにおける第２レンズ群Ｇ２の移動距離が増大する他、第３レンズ群Ｇ３以降のレンズ径が拡大し、撮影レンズの大型化を招く。また、条件式（３）の下限値を超え、第２レンズ群Ｇ２の正の焦点距離が小さくなると、特に望遠端に於いて、球面収差、コマ収差等の諸収差が悪化する。なお、条件式（３）について、その下限値をさらに０．６０に、また、上限値をさらに２．１０とすることで、前述の効果をより確実にすることができる。
【００２４】
条件式（４）は前記第１レンズ群後群Ｇ１Ｂの最も物体側の面の曲率半径を規定するものである。条件式（４）の下限値を超え、第１レンズ群後群Ｇ１Ｂの最も物体側の面の曲率半径が絶対値で大きくなると、この面で正のペッツバール和を発生させる量が不十分になる他、枚数が少ない構成で条件式（２）に必要な負の屈折力を確保することが困難になる。また、条件式（４）の上限値を超え、第１レンズ群後群Ｇ１Ｂの最も物体側の面の曲率半径が絶対値で小さくなると、歪曲収差等の諸収差が悪化する。なお、条件式（４）について、その下限値をさらに２．１０に、また、上限値をさらに８．８０とすることで、前述の効果をより確実にすることができる。
【００２５】
条件式（５）は前記第２レンズ群Ｇ２の最も物体側の面の曲率半径を規定するものである。条件式（５）の下限値を超え、第２レンズ群Ｇ２の最も物体側の面の曲率半径が大きくなると、特に望遠端に於いて、球面収差、コマ収差等の諸収差が悪化する。また、条件式（５）の上限値を超え、第２レンズ群前群Ｇ２の最も物体側の面の曲率半径が小さくなると、この面の偏芯敏感度が悪化し、製造のばらつきが発生した場合の性能低下が顕著になる。なお、条件式（５）について、その下限値をさらに１．６０に、また、上限値をさらに４．００とすることで、前述の効果をより確実にすることができる。
【００２６】
また第３の発明である光学系は、第１または２の発明であってさらに、前記第４レンズ群Ｇ４は、物体側から像面側に順に、像面側に凹面を向けた負の屈折力を持つ第４Ａレンズと物体側に凸面を向けた正の屈折力を持つ第４Ｂレンズとを有し、前記第４Ａレンズの像面側の面と前記第４Ｂレンズの物体側の面との間隔はレンズの中心部からレンズの外縁部に向けて小さくなり、以下に示す条件式（６）を満足することを特徴とする。
（６）０．００＜ｆ４×（１／Ｒ４Ａ−１／Ｒ４Ｂ）＜０．６０
ｆ４：前記第４レンズ群の焦点距離
Ｒ４Ａ：前記第４Ａレンズの像面側の面の曲率半径
Ｒ４Ｂ：前記第４Ｂレンズの物体側の面の曲率半径
【００２７】
第３の発明である光学系の第４レンズ群Ｇ４は、像面側から物体側に順に、物体側に凸面を向けた正の屈折力を持つ第４Ｂレンズと像面側に凹面を向けた負の屈折力を持つ第４Ａレンズとを有し、前記第４Ａレンズの像面側の面と前記第４Ｂレンズの物体側の面との間隔はレンズの中心部からレンズの外縁部に向けて小さくなるような形状を取る。このような構成により、非点収差の制御が容易となった。
【００２８】
条件式（６）は前記第４レンズ群Ｇ４を構成する負レンズと正レンズで挟まれた空気レンズの形状を規定するものである。条件式（６）の下限値を超え、Ｒ４ＡとＲ４Ｂの差が小さくなると、第４レンズ群Ｇ４内の正レンズで発生した歪曲収差や非点収差の補正が困難になる。また、条件式（６）の上限値を超え、Ｒ４ＡとＲ４Ｂの差が大きくなると、非点収差等が補正過剰となり、像面湾曲等も悪化する。なお、条件式（６）について、その下限値をさらに０．０５に、また、上限値をさらに０．４５とすることで、前述の効果をより確実にすることができる。
【００２９】
また第４の発明である光学系は、第１乃至３の発明であってさらに、以下に示す条件式（７）乃至（８）を満足することを特徴とする。
（７）０．５０＜｜ｆ３｜／ｆｔ＜２．５０
（８）０．６０＜ｆ４／ｆｔ＜１．８０
ｆ３：前記第３レンズ群の焦点距離
【００３０】
条件式（７）は前記第３レンズ群Ｇ３の屈折力を規定するものである。条件式（７）の上限値を超え、第３レンズ群Ｇ３の負の焦点距離が大きくなると、第２レンズ群Ｇ２、第４レンズ群Ｇ４で発生した像面湾曲、球面収差等が補正不足となる。また、条件式（７）の下限値を超え、第３レンズ群Ｇ３の負の焦点距離が小さくなると、球面収差、コマ収差等が補正過剰となる。なお、条件式（７）について、その下限値をさらに０．５５に、また、上限値をさらに２．２０とすることで、前述の効果をより確実にすることができる。
【００３１】
条件式（８）は前記第４レンズ群Ｇ４の屈折力を規定するものである。条件式（８）の上限値を超え、第４レンズ群Ｇ４の正の焦点距離が大きくなると、第２レンズ群Ｇ２、第３レンズ群Ｇ３の径を抑えつつF値を明るくすることが困難になる。また、条件式（８）の下限値を超え、第４レンズ群Ｇ４の正の焦点距離が小さくなると、正の屈折力を確保するために硝材の選択が制限され、軸上色収差や倍率色収差の悪化につながる。なお、条件式（８）について、その下限値をさらに０．７０に、また、上限値をさらに１．６０とすることで、前述の効果をより確実にすることができる。
【００３２】
次に、本発明の光学系に係る実施例のレンズ構成について説明する。なお、以下の説明ではレンズ構成を物体側から像面側の順番で記載する。
【実施例１】
【００３３】
図１は、本発明の実施例１の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、ズーミングに際して像面に対する位置が固定である。
【００３４】
第１レンズ群前群Ｇ１Ａは、物体側に非球面を形成し物体側に凸面を向けた負メニスカスレンズ２枚、並びに両凹レンズ及び両凸レンズから成り、正の屈折力を持つ接合レンズから構成され、全体として負の屈折力を持つ。
【００３５】
第１レンズ群後群Ｇ１Ｂは、両凹レンズ及び物体側に凸面を向けた正メニスカスレンズから成り、負の屈折力を持つ接合レンズで構成され、無限遠物体から近距離物体へのフォーカシングに際して物体側へ移動する。
【００３６】
第２レンズ群Ｇ２は、両凸レンズ、像面側に非球面を形成した両凸レンズ、並びに両凹レンズ及び両凸レンズから成り、正の屈折力を持つ接合レンズから構成され、全体として正の屈折力を持つ。また、第２レンズ群Ｇ２は、広角端から望遠端へのズーミングに際して、物体側へ移動する。
【００３７】
開口絞りＳは第２レンズ群Ｇ２と第３レンズ群Ｇ３との間に配置され、広角端から望遠端へのズーミングに際して、第３レンズ群Ｇ３と同じ軌跡で像面側へ移動する。
【００３８】
第３レンズ群Ｇ３は、両凹レンズ、並びに両凹レンズ及び両凸レンズから成り、負の屈折力を持つ接合レンズから構成され、全体として負の屈折力を持つ。また、第３レンズ群Ｇ３は、広角端から望遠端へのズーミングに際して、像面側へ移動する。
【００３９】
第４レンズ群Ｇ４は、両凸レンズ、並びに両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【実施例２】
【００４０】
図６は、本発明の実施例２の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、広角端から望遠端へのズーミングに際して、広角端から途中まで像面側へ移動した後、Ｕターンして望遠端まで物体側に移動する。
【００４１】
第１レンズ群前群Ｇ１Ａは、物体側に非球面を形成し物体側に凸面を向けた負メニスカスレンズ２枚、並びに両凹レンズ及び両凸レンズから成り、正の屈折力を持つ接合レンズから構成され、全体として負の屈折力を持つ。
【００４２】
第１レンズ群後群Ｇ１Ｂは、両凹レンズ及び物体側に凸面を向けた正メニスカスレンズから成り、負の屈折力を持つ接合レンズで構成され、無限遠物体から近距離物体へのフォーカシングに際して物体側へ移動する。
【００４３】
第２レンズ群Ｇ２は、両凸レンズ、像面側に非球面を形成した両凸レンズ、並びに両凹レンズ及び両凸レンズから成り、正の屈折力を持つ接合レンズから構成され、全体として正の屈折力を持つ。また、第２レンズ群Ｇ２は、広角端から望遠端へのズーミングに際して、物体側へ移動する。
【００４４】
開口絞りＳは第２レンズ群Ｇ２と第３レンズ群Ｇ３との間に配置され、広角端から望遠端へのズーミングに際して、第３レンズ群Ｇ３と同じ軌跡で像面側へ移動する。
【００４５】
第３レンズ群Ｇ３は、両凹レンズ及び物体側に凸面を向けた正メニスカスレンズから成り、負の屈折力を持つ接合レンズから構成される。また、第３レンズ群Ｇ３は、広角端から望遠端へのズーミングに際して、像面側へ移動する。
【００４６】
第４レンズ群Ｇ４は、両凸レンズ、両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【実施例３】
【００４７】
図１１は、本発明の実施例３の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、広角端から望遠端へのズーミングに際して、広角端から途中まで像面側へ移動した後、Ｕターンして望遠端まで物体側に移動する。
【００４８】
第１レンズ群前群Ｇ１Ａは、物体側に非球面を形成し物体側に凸面を向けた負メニスカスレンズ、両凹レンズ、並びに物体側に非球面を形成し物体側に凸面を向けた負メニスカスレンズ及び両凸レンズから成り、正の屈折力を持つ接合レンズから構成され、全体として負の屈折力を持つ。
【００４９】
第１レンズ群後群Ｇ１Ｂは、物体側に凹面を向けた負メニスカスレンズ、並びに両凹レンズ及び両凸レンズから成り、負の屈折力を持つ接合レンズから構成され、無限遠物体から近距離物体へのフォーカシングに際して物体側へ移動する。
【００５０】
開口絞りＳは第１レンズ群Ｇ１と第２レンズ群Ｇ２との間に配置され、広角端から望遠端へのズーミングに際して、第２レンズ群Ｇ２と同じ軌跡で物体側へ移動する。
【００５１】
第２レンズ群Ｇ２は、物体側に凸面を向けた正メニスカスレンズ、像面側に非球面を形成した両凸レンズ、並びに物体側に凸面を向けた負メニスカスレンズ及び両凸レンズから成り、正の屈折力を持つ接合レンズから構成され、全体として正の屈折力を持つ。また、第２レンズ群Ｇ２は、広角端から望遠端へのズーミングに際して、物体側へ移動する。
【００５２】
第３レンズ群Ｇ３は、両凹レンズ及び両凸レンズから成り、負の屈折力を持つ接合レンズで構成される。また、第３レンズ群Ｇ３は、広角端から望遠端へのズーミングに際して、広角端から途中まで物体側へ移動した後、Ｕターンして望遠端まで像面側に移動する。
【００５３】
第４レンズ群Ｇ４は、両凸レンズ、両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【実施例４】
【００５４】
図１６は、本発明の実施例４の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、広角端から望遠端へのズーミングに際して、広角端から途中まで像面側へ移動した後、Ｕターンして望遠端まで物体側に移動する。
【００５５】
第１レンズ群前群Ｇ１Ａは、物体側に非球面を形成し物体側に凸面を向けた負メニスカスレンズ、並びに両凹レンズ及び像面側に非球面を形成した両凸レンズから成り、正の屈折力を持つ接合レンズから構成され、全体として負の屈折力を持つ。
【００５６】
第１レンズ群後群Ｇ１Ｂは、両凹レンズ及び物体側に凸面を向けた正メニスカスレンズから成り、負の屈折力を持つ接合レンズ、並びに物体側に凹面を向けた負メニスカスレンズから構成され、無限遠物体から近距離物体へのフォーカシングに際して物体側へ移動する。
【００５７】
開口絞りＳは第１レンズ群Ｇ１と第２レンズ群Ｇ２との間に配置され、広角端から望遠端へのズーミングに際して、第２レンズ群Ｇ２と同じ軌跡で物体側へ移動する。
【００５８】
第２レンズ群Ｇ２は、物体側に凸面を向けた正メニスカスレンズ、像面側に非球面を形成した両凸レンズ、並びに物体側に凸面を向けた負メニスカスレンズ及び両凸レンズから成り、正の屈折力を持つ接合レンズから構成され、全体として正の屈折力を持つ。また、第２レンズ群Ｇ２は、広角端から望遠端へのズーミングに際して、物体側へ移動する。
【００５９】
第３レンズ群Ｇ３は、両凹レンズ及び物体側に凸面を向けた正メニスカスレンズから成り、負の屈折力を持つ接合レンズで構成される。また、第３レンズ群Ｇ３は、広角端から望遠端へのズーミングに際して、広角端から途中まで物体側へ移動した後、Ｕターンして望遠端まで像面側に移動する。
【００６０】
第４レンズ群Ｇ４は、両凸レンズ、両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【実施例５】
【００６１】
図２１は、本発明の実施例５の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、広角端から望遠端へのズーミングに際して、広角端から途中まで像面側へ移動した後、Ｕターンして望遠端まで物体側に移動する。
【００６２】
第１レンズ群前群Ｇ１Ａは、物体側に非球面を形成し物体側に凸面を向けた負メニスカスレンズで構成される。
【００６３】
第１レンズ群後群Ｇ１Ｂは、物体側に非球面を形成した両凹レンズ及び両凸レンズから成り、負の屈折力を持つ接合レンズで構成され、無限遠物体から近距離物体へのフォーカシングに際して物体側へ移動する。
【００６４】
第２レンズ群Ｇ２は、物体側に非球面を形成した両凸レンズ、両凸レンズ、並びに物体側に凸面を向けた負メニスカスレンズ及び両凸レンズから成り、正の屈折力を持つ接合レンズから構成され、全体として正の屈折力を持つ。また、第２レンズ群Ｇ２は、広角端から望遠端へのズーミングに際して、物体側へ移動する。
【００６５】
開口絞りＳは第２レンズ群Ｇ２と第３レンズ群Ｇ３との間に配置され、広角端から望遠端へのズーミングに際して、第３レンズ群Ｇ３と同じ軌跡で物体側へ移動する。
【００６６】
第３レンズ群Ｇ３は、両凹レンズ、並びに両凹レンズ及び両凸レンズから成り、負の屈折力を持つ接合レンズから構成される。また、第３レンズ群Ｇ３は、広角端から望遠端へのズーミングに際して、広角端から途中まで像面側へ移動した後、Ｕターンして望遠端まで物体側に移動する。
【００６７】
第４レンズ群Ｇ４は、両凸レンズ、両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【実施例６】
【００６８】
図２６は、本発明の実施例６の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、ズーミングに際して像面に対する位置が固定である。
【００６９】
第１レンズ群前群Ｇ１Ａは、物体側に非球面を形成し物体側に凸面を向けた負メニスカスレンズ２枚、並びに両凹レンズ及び両凸レンズから成り、正の屈折力を持つ接合レンズから構成され、全体として負の屈折力を持つ。
【００７０】
第１レンズ群後群Ｇ１Ｂは、両凹レンズ及び両凸レンズから成り、負の屈折力を持つ接合レンズで構成され、無限遠物体から近距離物体へのフォーカシングに際して物体側へ移動する。
【００７１】
第２レンズ群Ｇ２は、両凸レンズ、像面側に非球面を形成した両凸レンズ、並びに物体側に凸面を向けた負メニスカスレンズ及び両凸レンズから成り、正の屈折力を持つ接合レンズから構成され、全体として正の屈折力を持つ。また、第２レンズ群Ｇ２は、広角端から望遠端へのズーミングに際して物体側へ移動する。
【００７２】
開口絞りＳは第２レンズ群Ｇ２と第３レンズ群Ｇ３との間に配置され、広角端から望遠端へのズーミングに際して、第３レンズ群Ｇ３と同じ軌跡で像面側へ移動する。
【００７３】
第３レンズ群Ｇ３は、両凹レンズ、並びに物体側に凸面を向けた負メニスカスレンズ及び両凸レンズから成り、正の屈折力を持つ接合レンズから構成され、全体として負の屈折力を持つ。また、第３レンズ群Ｇ３は、広角端から望遠端へのズーミングに際して像面側へ移動する。
【００７４】
第４レンズ群Ｇ４は、両凸レンズ、両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【実施例７】
【００７５】
図３１は、本発明の実施例７の光学系のレンズ構成図である。第１レンズ群Ｇ１は、第１レンズ群前群Ｇ１Ａと第１レンズ群後群Ｇ１Ｂとからなり、全体として負の屈折力を持つ。また、第１レンズ群Ｇ１は、ズーミングに際して像面に対する位置が固定である。
【００７６】
第１レンズ群前群Ｇ１Ａは、物体側に凸面を向けた負メニスカスレンズ、物体側に非球面を形成し物体側に凸面を向けた負メニスカスレンズ２枚、並びに両凹レンズ及び両凸レンズから成り、正の屈折力を持つ接合レンズから構成され、全体として負の屈折力を持つ。
【００７７】
第１レンズ群後群Ｇ１Ｂは、両凹レンズ及び物体側に凸面を向けた正メニスカスレンズから成り、負の屈折力を持つ接合レンズで構成され、無限遠物体から近距離物体へのフォーカシングに際して物体側へ移動する。
【００７８】
第２レンズ群Ｇ２は、物体側に凸面を向けた正メニスカスレンズ２枚、並びに物体側に凸面を向けた負メニスカスレンズ及び両凸レンズから成り、正の屈折力を持つ接合レンズから構成され、全体として正の屈折力を持つ。また、第２レンズ群Ｇ２は、広角端から望遠端へのズーミングに際して、物体側へ移動する。
【００７９】
開口絞りＳは第２レンズ群Ｇ２と第３レンズ群Ｇ３との間に配置され、広角端から望遠端へのズーミングに際して、第３レンズ群Ｇ３と同じ軌跡で移動する。
【００８０】
第３レンズ群Ｇ３は、両凹レンズ及び物体側に凸面を向けた正メニスカスレンズから成り、負の屈折力を持つ接合レンズで構成される。また、第３レンズ群Ｇ３は、広角端から望遠端へのズーミングに際して、広角端から途中まで物体側へ移動した後、Ｕターンして望遠端まで像面側に移動する。
【００８１】
第４レンズ群Ｇ４は、両凸レンズ、両凸レンズ及び両凹レンズから成り、負の屈折力を持つ接合レンズ、並びに物体側像面側両面に非球面を形成した両凸レンズ構成され、全体として正の屈折力を持つ。また、第４レンズ群Ｇ４は、広角端から望遠端へのズーミングに際して、物体側へ移動する。
【００８２】
以下に、前述した本発明の結像光学系の各実施例の具体的な数値データを示す。
【００８３】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００８４】
面番号に付した＊（アスタリスク）は、そのレンズ面形状が非球面であることを示している。また、ＢＦはバックフォーカスを表している。
【００８５】
面番号に付した（絞り）は、その位置に開口絞りが位置していることを示している。平面又は開口絞りに対する曲率半径には∞（無限大）を記入している。
【００８６】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０、及び１２次の非球面係数をそれぞれＡ４、Ａ６、Ａ８、Ａ１０、及びＡ１２と置くとき、非球面の座標が以下の式で表されるものとする。
2014089365.tif 000003
【００８７】
［各種データ］には、ズーム比及び各焦点距離状態における焦点距離等の値を示している。
【００８８】
［可変間隔データ］には、各焦点距離状態における可変間隔及びＢＦの値を示している。
【００８９】
［レンズ群データ］には、各レンズ群を構成する最も物体側の面番号及び群全体の合成焦点距離を示している。
【００９０】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００９１】
数値実施例1
単位：mm
[面データ]
面番号             r             d             nd            vd
物面                ∞          (d0)
1*           120.7191        2.5509      1.772501         49.47
2             25.1654        6.6841
3*            46.0870        1.8000      1.772501         49.47
4             36.2389        6.8331
5           -120.8630        1.3000      1.496997         81.61
6             49.6643        6.2827      1.910822         35.25
7           -231.8638          (d7)
8            -41.6754        1.0000      1.625880         35.74
9             61.9382        3.9456      2.001000         29.13
10           533.7643         (d10)
11            83.3333        5.8519      1.592824         68.62
12           -88.7772        0.1500
13           101.7274        4.1642      1.592014         67.02
14*          -208.3744        1.2631
15          -218.4340        1.2000      1.625880         35.74
16            34.1825       11.4730      1.592824         68.62
17           -54.0541         (d17)
18(絞り)              ∞        4.0516
19           -42.8265        1.0000      1.883000         40.81
20           246.9982        1.2877
21           -90.4816        1.0000      1.883000         40.81
22            45.0845        6.3331      1.846663         23.78
23           -65.6186         (d23)
24            66.5586        5.2037      1.592824         68.62
25           -55.5556        0.7186
26            96.7931        5.0907      1.592824         68.62
27           -50.2290        1.0000      1.728250         28.32
28            47.1616        0.5390
29*            51.4166        5.2229      1.592014         67.02
30*           -77.0861          (BF)
像面                ∞
[非球面データ]
1面           3面           14面          29面
K               0.0000        0.0000        0.0000        0.0000
A4         1.03451E-05  -6.85012E-06   3.14234E-06  -3.44220E-06
A6        -1.27202E-08   4.35386E-09   5.54133E-10  -1.30154E-08
A8         2.05215E-11   1.44463E-12   1.95897E-13  -2.18115E-11
A10        -1.96261E-14  -2.05685E-14  -2.18362E-16   2.94095E-13
A12         1.10511E-17   0.00000E+00   2.19082E-19  -2.27675E-15
30面
K               0.0000
A4         1.05505E-06
A6        -1.49903E-08
A8        -5.09164E-13
A10         1.94265E-13
A12        -1.99038E-15
[各種データ]
ズーム比            1.82
広角          中間          望遠
焦点距離           18.60         26.02         33.78
Fナンバー            1.86          1.86          1.86
全画角2ω           76.12         56.68         44.80
像高Y             14.20         14.20         14.20
レンズ全長         168.50        168.50        168.50
[可変間隔データ]
広角          中間          望遠
d0               ∞            ∞            ∞
d7            12.3772       12.3772       12.3772
d10            16.9843        6.7136        1.5000
d17             1.0000       14.7583       27.5708
d23            13.6327        9.4046        1.2000
BF            38.5600       39.3005       39.9062
d0           111.5000      111.5000      111.5000
d7             4.6883        4.6895        4.6900
d10            24.6732       14.3989        9.1871
d17             1.0000       14.7583       27.5708
d23            13.6327        9.4046        1.2000
BF            38.5598       39.3029       39.9074
[レンズ群データ]
群           始面           焦点距離
G1            1              -27.88
G2            11              37.50
G3            18             -49.96
G4            24              39.34
G1A            1              -56.72
G1B            8              -92.33
【００９２】
数値実施例2
単位：mm
[面データ]
面番号            r             d             nd            vd
物面                ∞          (d0)
1*            99.6572        2.5000      1.589130         61.25
2             22.7273       11.1878
3*           410.3696        1.8000      1.592014         67.02
4             54.3866        4.9443
5           -140.1975        1.3000      1.437001         95.10
6             51.9106        6.2247      1.910822         35.25
7           -184.8320          (d7)
8            -45.9318        1.0000      1.647690         33.84
9             44.8174        4.5219      1.846663         23.78
10           332.7784         (d10)
11            83.3333        5.4728      1.592824         68.62
12           -97.5637        0.1500
13            65.8665        5.4016      1.592014         67.02
14*          -200.0266        1.2698
15          -210.5908        2.4872      1.728250         28.32
16            40.5235       10.0768      1.592824         68.62
17           -53.0155         (d17)
18(絞り)              ∞        4.1323
19           -41.5086        1.0000      1.834805         42.72
20            30.3820        4.1539      1.846663         23.78
21           392.1224         (d21)
22            84.5653        4.3355      1.496997         81.61
23           -55.5556        0.1500
24           453.3121        4.9642      1.592824         68.62
25           -32.0780        1.0000      1.672700         32.17
26            81.0936        0.6546
27*            91.2806        4.9198      1.772501         49.47
28*           -48.0555          (BF)
像面                ∞
[非球面データ]
1面           3面           14面          27面
K               0.0000        0.0000        0.0000        0.0000
A4         7.36145E-06  -4.10528E-06   3.34117E-06  -3.48556E-06
A6        -4.30568E-09   1.79790E-09   6.83034E-10  -3.54785E-09
A8         6.06000E-12   3.93415E-12  -3.14690E-13   1.03109E-11
A10        -5.12573E-15  -9.58969E-15  -2.30701E-16   4.07938E-14
A12         3.66840E-18   0.00000E+00   1.10355E-18  -1.11535E-16
28面
K               0.0000
A4         1.21374E-06
A6        -5.87911E-09
A8         2.14759E-11
A10        -1.26485E-14
A12         0.00000E+00
[各種データ]
ズーム比            1.84
広角          中間          望遠
焦点距離           18.50         23.97         34.00
Fナンバー            1.86          1.86          1.86
全画角2ω           76.59         61.06         44.54
像高Y             14.20         14.20         14.20
レンズ全長         163.25        162.61        166.00
[可変間隔データ]
広角          中間          望遠
d0              ∞            ∞            ∞
d7            11.2921       11.2921       11.2921
d10            18.5978        9.5151        1.5000
d17             1.2000       10.3927       26.6147
d21             9.9481        7.8844        1.2000
BF            38.5600       39.8766       41.7459
d0           114.0000      116.0000      114.0000
d7             4.4789        4.5760        4.4786
d10            25.4110       16.2312        8.3136
d17             1.2000       10.3927       26.6147
d21             9.9481        7.8844        1.2000
BF            38.5601       39.8766       41.7459
[レンズ群データ]
群           始面           焦点距離
G1            1              -27.82
G2            11              37.45
G3            18             -45.46
G4            22              35.82
G1A            1              -64.79
G1B            8              -81.64
【００９３】
数値実施例3
単位：mm
[面データ]
面番号            r             d             nd            vd
物面                ∞          (d0)
1*            77.3239        2.5000      1.772501         49.47
2             22.0800       12.0354
3           -301.8082        1.3000      1.592824         68.62
4             55.8521        2.8830
5*           264.1946        1.2000      1.772501         49.47
6             59.3614        6.4878      1.903658         31.31
7            -87.0429          (d7)
8            -86.7227        1.0000      1.903658         31.31
9           -302.6992        1.8911
10           -51.4812        1.0000      1.698950         30.05
11            44.2354        5.2052      1.846663         23.78
12          -206.5764         (d12)
13(絞り)              ∞        0.9762
14            83.3333        3.0773      1.592824         68.62
15           276.5877        0.1500
16            55.5732        5.5572      1.592014         67.02
17*          -181.4011        0.1500
18           286.9288        1.2000      1.728250         28.32
19            39.6453       10.4035      1.592824         68.62
20           -55.5556         (d20)
21           -49.0623        1.0000      1.883000         40.81
22            33.5267        5.2147      1.846663         23.78
23          -371.3326         (d23)
24            52.6316        5.9665      1.496997         81.61
25           -55.5556        0.1500
26           202.8398        3.6628      1.592824         68.62
27           -78.0751        1.0000      1.740770         27.76
28            50.4601        1.7559
29*           103.1762        4.7693      1.618806         63.86
30*           -46.1170          (BF)
像面                ∞
[非球面データ]
1面           5面           17面          29面
K               0.0000        0.0000        0.0000        0.0000
A4         7.08426E-06  -2.65427E-06   3.93438E-06  -7.75445E-06
A6        -4.39975E-09   3.74196E-09   1.53820E-09  -2.77821E-09
A8         4.55779E-12  -2.66141E-12  -2.48730E-12  -1.28526E-11
A10        -9.89610E-16   1.47679E-14   1.67007E-15  -5.01214E-14
A12        -1.01310E-18   0.00000E+00   2.39178E-19  -6.06013E-17
30面
K               0.0000
A4        -2.12144E-07
A6        -3.58095E-09
A8         2.76812E-12
A10        -8.66642E-14
A12         0.00000E+00
[各種データ]
ズーム比            1.88
広角          中間          望遠
焦点距離           15.44         21.97         29.11
Fナンバー            1.86          1.86          1.87
全画角2ω           86.78         65.35         51.12
像高Y             14.20         14.20         14.20
レンズ全長         166.00        160.90        161.03
[可変間隔データ]
広角          中間          望遠
d0              ∞            ∞            ∞
d7             7.5930        7.5930        7.5930
d12            26.8677       11.7636        3.8874
d20             1.6425       11.2676       22.7898
d23            10.8007        7.7203        1.2000 
BF            38.5601       42.0238       45.0227
d0           125.0564      130.0000      124.0962
d7             2.3000        2.4744        2.2646
d12            32.1607       16.8821        9.2158
d20             1.6425       11.2676       22.7898
d23            10.8007        7.7203        1.2000
BF            38.5601       42.0240       45.0227
[レンズ群データ]
群           始面           焦点距離
G1            1              -25.08
G2            13              38.04
G3            21             -60.00
G4            24              43.96
G1A            1              -57.78
G1B            8              -74.75
【００９４】
数値実施例4
単位：mm
[面データ]
面番号            r             d             nd            vd
物面                ∞          (d0)
1*            75.2803        2.5000      1.772501         49.47
2             22.4114       14.6920
3            -65.6846        1.4000      1.496997         81.61
4             76.3761        6.8437      1.808339         40.92
5*           -78.8995          (d5)
6            -78.5952        1.0000      1.658436         50.85
7             46.7157        3.6320      2.001000         29.13
8            172.9646        3.1790
9            -52.8804        1.0000      1.728250         28.32
10           -91.5377         (d10)
11(絞り)              ∞        0.9872
12            83.3333        3.3303      1.592824         68.62
13           396.5114        0.1500
14            60.8744        5.2275      1.592014         67.02
15*          -214.7811        0.1500
16           429.1398        1.2000      1.728250         28.32
17            43.8134       10.1505      1.592824         68.62
18           -56.4914         (d18)
19           -43.2386        1.0000      1.743299         49.22
20            37.3306        4.2672      1.846663         23.78
21           239.2787         (d21)
22            55.5556        6.0165      1.592824         68.62
23           -55.5556        0.1500
24           193.9167        4.6538      1.496997         81.61
25           -45.6585        1.0000      1.672700         32.17
26            38.1215        1.2644
27*            52.9611        5.4561      1.618806         63.86
28*           -52.6666          (BF)
像面                ∞
[非球面データ]
1面           5面           15面          27面
K               0.0000        0.0000        0.0000        0.0000
A4         5.27415E-06   8.69349E-07   3.71408E-06  -3.02068E-06
A6        -1.92758E-09  -3.62354E-09   1.48424E-09  -1.50145E-10
A8         7.26135E-13   2.75996E-12  -3.55995E-12   1.07320E-12
A10         2.35040E-15  -1.22893E-14   5.13818E-15   1.60896E-15
A12        -3.24604E-18   0.00000E+00  -3.41361E-18  -2.11166E-16
28面
K               0.0000
A4         3.18667E-06
A6        -2.70319E-09
A8         3.02964E-11
A10        -1.14026E-13
A12         0.00000E+00
[各種データ]
ズーム比            1.94
広角          中間          望遠
焦点距離           17.50         24.98         34.00
Fナンバー            1.86          1.86          1.87
全画角2ω           79.70         58.89         44.53
像高Y             14.20         14.20         14.20
レンズ全長         165.52        161.31        163.21
[可変間隔データ]
広角          中間          望遠
d0              ∞            ∞            ∞
d5             9.1075        9.1075        9.1075
d10            26.8064       11.7073        3.0951
d18             1.9114       12.6691       25.4375
d21             9.8851        7.0335        1.2000
BF            38.5599       41.5426       45.1194
d0           125.0564      130.0000      124.0962
d5             2.3000        2.5197        2.2554
d10            33.6139       18.2951        9.9479 
d18             1.9114       12.6691       25.4375
d21             9.8851        7.0335        1.2000
BF            38.5603       41.5438       45.1195
[レンズ群データ]
群           始面           焦点距離
G1            1              -29.51
G2            11              39.90
G3            19             -55.29
G4            22              41.17
G1A            1              -76.04
G1B            6              -78.61
【００９５】
数値実施例5
単位：mm
[面データ]
面番号             r             d             nd            vd
物面                ∞          (d0)
1*           129.7236        2.5000      1.589130         61.25
2             22.7273          (d2)
3*           -45.8542        3.2442      1.772501         49.47
4             61.1284        3.9060      2.001000         29.13
5           -439.1050          (d5)
6*            83.3563        3.2112      1.592014         67.02
7           -242.7306        0.1500
8             65.7754        4.2474      1.496997         81.61
9           -163.8945        0.1500
10            51.9539        1.2000      1.846663         23.78
11            29.5801        7.8629      1.592824         68.62
12           -74.3423         (d12)
13(絞り)              ∞        2.7305
14          -111.4770        1.0000      1.772500         49.62
15            41.8285        2.4440
16           -39.4135        1.0000      1.772500         49.62
17            34.5915        3.6575      1.846663         23.78
18          -113.6890         (d18)
19            55.5556        5.1715      1.592824         68.62
20           -55.5556        0.1500
21           100.0254        5.0089      1.496997         81.61
22           -43.7946        1.0000      1.740770         27.76
23            61.3176        1.1797
24*            88.6383        5.0629      1.592014         67.02
25*           -42.1183          (BF)
像面                ∞
[非球面データ]
1面           3面           6面           24面
K               0.0000        0.0000        0.0000        0.0000
A4         7.13479E-06  -1.24460E-06  -3.96684E-06  -6.34183E-06
A6        -3.56349E-09   1.60774E-09  -1.10848E-09  -7.66551E-09
A8         1.62665E-12   1.04117E-11   1.13587E-12  -4.58563E-11
A10         1.83219E-15  -2.95076E-14   2.62468E-15   3.47445E-13
A12        -9.23773E-19   0.00000E+00  -2.30965E-18  -7.51994E-16
25面
K               0.0000
A4         2.50000E-06
A6        -1.11727E-08
A8         1.85452E-11
A10        -2.32667E-14
A12         0.00000E+00
[各種データ]
ズーム比            2.95
広角          中間          望遠
焦点距離           16.45         30.01         48.50
Fナンバー            2.89          2.90          2.91
全画角2ω           83.22         49.80         32.03
像高Y             14.20         14.20         14.20
レンズ全長         169.00        151.78        152.70
[可変間隔データ]
広角          中間          望遠
d0              ∞            ∞            ∞
d2            21.2364       21.2364       21.2364
d5            37.7991       11.9990        1.5000
d12             1.0000       10.3336       18.5404
d18            15.5279        9.2674        1.2000
BF            38.5599       44.0621       55.3473
d0           125.0564      130.0000      124.0962 
d2            12.8609       13.1536       12.8011
d5            46.1746       20.0818        9.9353
d12             1.0000       10.3336       18.5404
d18            15.5279        9.2674        1.2000
BF            38.5600       44.0622       55.3476
[レンズ群データ]
群           始面           焦点距離
G1            1              -27.67
G2            6               29.97
G3            13             -28.38
G4            19              36.53
G1A            1              -47.18
G1B            3              -94.47
【００９６】
数値実施例6
単位：mm
[面データ]
面番号            r             d             nd            vd
物面                ∞          (d0)
1*           265.1175        2.5000      1.772501         49.47
2             24.3902        6.6833
3*            40.5938        1.8000      1.772501         49.47
4             30.3896        6.9765
5           -152.4760        1.3000      1.592824         68.62
6             31.4929        7.9546      1.728250         28.32
7           -103.9974          (d7)
8            -50.8461        1.0000      1.698950         30.05
9             60.2441        3.8000      2.001000         29.13
10         -4449.0687         (d10)
11           113.7793        4.3281      1.592824         68.62
12          -208.4748        0.1500
13            81.4559        4.1254      1.592014         67.02
14*          -398.6277        0.1500
15            89.2322        1.2000      1.846663         23.78
16            38.1137        9.9761      1.592824         68.62
17           -64.1541         (d17)
18(絞り)              ∞        3.9873
19           -44.5954        1.0000      1.883000         40.81
20            50.6527        2.3124
21            77.2442        1.0000      1.806105         40.73
22            33.9804        4.5426      1.846663         23.78
23          -435.1330         (d23)
24            51.2821        5.8746      1.496997         81.61
25           -51.2821        0.1500
26            52.0197        4.4711      1.496997         81.61
27          -138.3615        1.0000      1.717360         29.50
28            41.1515        0.8690
29*            54.2481        5.0494      1.592014         67.02
30*           -70.0180          (BF)
像面                ∞
[非球面データ]
1面           3面           14面          29面
K               0.0000        0.0000        0.0000        0.0000
A4         1.71329E-05  -1.25665E-05   1.55257E-06  -3.82933E-06
A6        -2.90560E-08   8.01870E-09   4.55489E-10  -3.96631E-09
A8         4.93369E-11   8.05088E-12   2.18971E-13  -9.95910E-12
A10        -5.04273E-14  -4.05235E-14  -5.32097E-16   0.00000E+00
A12         2.56567E-17   0.00000E+00   5.67798E-19   0.00000E+00
30面
K               0.0000
A4         2.64526E-06
A6        -2.41992E-09
A8        -6.52218E-12
A10         0.00000E+00
A12         0.00000E+00
[各種データ]
ズーム比            1.87
広角          中間          望遠
焦点距離           15.50         22.03         29.00
Fナンバー            1.86          1.86          1.86
全画角2ω           86.43         64.77         51.29
像高Y             14.20         14.20         14.20
レンズ全長         163.50        163.50        163.50
[可変間隔データ]
広角          中間          望遠
d0              ∞            ∞            ∞
d7            10.7305       10.7305       10.7305
d10            16.0438        6.7437        1.8000
d17             1.0000       15.2433       27.0255
d23            14.9652        9.4136        1.2000
BF            38.5600       39.1685       40.5435
d0           116.5000      116.5000      116.5000
d7             3.4355        3.4326        3.4317
d10            23.3388       14.0415        9.0987
d17             1.0000       15.2433       27.0255
d23            14.9652        9.4136        1.2000
BF            38.5609       39.1691       40.5439
[レンズ群データ]
群           始面           焦点距離
G1            1              -24.92
G2            11              37.33
G3            18             -44.72
G4            24              36.12
G1A            1              -41.49
G1B            8             -118.18
【００９７】
数値実施例7
単位：mm
[面データ]
面番号             r             d             nd            vd
物面                ∞          (d0)
1             49.6509        2.3000      1.881003         40.14
2             27.2827        7.3418
3*            77.8468        2.5000      1.772501         49.47
4             25.0000        4.7831
5*            30.8235        2.4964      1.589130         61.25
6             23.2558       10.1904
7           -120.3962        1.3000      1.592824         68.62
8             33.1852        9.2513      1.728250         28.32
9            -73.3090          (d9)
10          -107.8023        1.0000      1.761818         26.61
11            28.9080        4.2000      2.001000         29.13
12           126.5460         (d12)
13            83.3333        2.3425      1.517420         52.15
14           722.7526        0.5234
15           118.9945        2.1990      1.496997         81.61
16                 ∞        0.1500
17            44.4444        1.0000      1.728250         28.32
18            22.9133        4.7472      1.589129         61.25
19          -308.3588         (d19)
20(絞り)              ∞        3.2373
21           -43.9947        1.0000      1.883000         40.81
22            25.8793        3.4114      1.846663         23.78
23          1576.4855         (d23)
24            51.2821        4.1637      1.437001         95.10
25           -60.1432        0.1500
26            33.8058        8.4154      1.437001         95.10
27           -60.7225        1.0000      1.806099         33.27
28            62.7960        0.7467
29*            72.7238        5.4387      1.497103         81.56
30*           -28.8509          (BF)
像面                ∞
[非球面データ]
3面           5面           29面          30面
K               0.0000        0.0000        0.0000        0.0000
A4         2.43167E-05  -2.27869E-05  -1.61086E-05   3.00000E-06
A6        -5.25004E-08   6.82871E-08  -1.83503E-09   6.04330E-10
A8         1.15417E-10  -9.36786E-11  -6.53367E-11  -8.00000E-11
A10        -1.71098E-13   1.60639E-13   0.00000E+00   0.00000E+00
A12         1.00111E-16   0.00000E+00   0.00000E+00   0.00000E+00
[各種データ]
ズーム比            1.86
広角          中間          望遠
焦点距離           12.42         16.88         23.16
Fナンバー            2.89          2.89          2.90
全画角2ω           99.06         79.32         62.02
像高Y             14.20         14.20         14.20
レンズ全長         166.00        166.00        166.00
[可変間隔データ]
広角          中間          望遠
d0               ∞            ∞            ∞
d9             9.2720        9.2720        9.2720
d12            19.6117       11.6361        2.6013
d19             1.2152       12.5852       19.2147
d23            13.4526        6.8211        1.2000
BF            38.5600       41.7971       49.8235
d0           114.0000      114.0000      114.0000 
d9             2.3000        2.3023        2.3024
d12            26.5838       18.6058        9.5709
d19             1.2152       12.5852       19.2147
d23            13.4526        6.8211        1.2000
BF            38.5596       41.7971       49.8235
[レンズ群データ]
群           始面           焦点距離
G1            1              -23.98
G2            13              46.61
G3            20             -45.34
G4            24              32.45
G1A            1              -38.31
G1B            10            -149.68
【００９８】
また、これらの各実施例における条件式の対応値の一覧を示す。
[条件式対応値]
条件式＼実施例                   1       2       3       4
(1)2.40＜|f1a|/fw＜5.00             3.05    3.50    3.74    4.34
(2)4.00＜|f1b|/fw＜13.00            4.96    4.41    4.84    4.49
(3)0.55＜f2/ft＜2.20                1.11    1.10    1.31    1.17
(4)1.80＜|R1bF|/fw＜9.00            2.24    2.48    5.62    4.49
(5)1.50＜R2F/ft＜4.50               2.47    2.45    2.86    2.45
(6)0.00＜f4×(1/R4A-1/R4B)＜0.60    0.07    0.05    0.45    0.30
(7)0.50＜|f3|/ft＜2.50              1.48    1.34    2.06    1.63
(8)0.60＜f4/ft＜1.80                1.16    1.05    1.51    1.21
条件式＼実施例                   5       6       7
(1)2.40＜|f1a|/fw＜5.00             2.87    2.68    3.08
(2)4.00＜|f1b|/fw＜13.00            5.74    7.62   12.05
(3)0.55＜f2/ft＜2.20                0.62    1.29    2.01
(4)1.80＜|R1bF|/fw＜9.00            2.79    3.28    8.68
(5)1.50＜R2F/ft＜4.50               1.72    3.92    3.60
(6)0.00＜f4×(1/R4A-1/R4B)＜0.60    0.18    0.21    0.07
(7)0.50＜|f3|/ft＜2.50              0.59    1.54    1.96
(8)0.60＜f4/ft＜1.80                0.75    1.25    1.40
【符号の説明】
【００９９】
Ｇ１      第１レンズ群
Ｇ２      第２レンズ群
Ｇ３      第３レンズ群
Ｇ４      第４レンズ群
Ｇ１Ａ    第１レンズ群前群
Ｇ１Ｂ    第１レンズ群後群
Ｓ        開口絞り
Ｉ        像面
ｄ        ｄ線
Ｃ        Ｃ線
ｇ        ｇ線
Ｆ        Ｆナンバー
△Ｓ      サジタル像面
△Ｍ      メリジオナル像面
【図１】
2014089365.tif 000004
【図２】
2014089365.tif 000005
【図３】
2014089365.tif 000006
【図４】
2014089365.tif 000007
【図５】
2014089365.tif 000008
【図６】
2014089365.tif 000009
【図７】
2014089365.tif 000010
【図８】
2014089365.tif 000011
【図９】
2014089365.tif 000012
【図１０】
2014089365.tif 000013
【図１１】
2014089365.tif 000014
【図１２】
2014089365.tif 000015
【図１３】
2014089365.tif 000016
【図１４】
2014089365.tif 000017
【図１５】
2014089365.tif 000018
【図１６】
2014089365.tif 000019
【図１７】
2014089365.tif 000020
【図１８】
2014089365.tif 000021
【図１９】
2014089365.tif 000022
【図２０】
2014089365.tif 000023
【図２１】
2014089365.tif 000024
【図２２】
2014089365.tif 000025
【図２３】
2014089365.tif 000026
【図２４】
2014089365.tif 000027
【図２５】
2014089365.tif 000028
【図２６】
2014089365.tif 000029
【図２７】
2014089365.tif 000030
【図２８】
2014089365.tif 000031
【図２９】
2014089365.tif 000032
【図３０】
2014089365.tif 000033
【図３１】
2014089365.tif 000034
【図３２】
2014089365.tif 000035
【図３３】
2014089365.tif 000036
【図３４】
2014089365.tif 000037
【図３５】
2014089365.tif 000038